(57)【特許請求の範囲】
【請求項１】
版胴と前記版胴に対して接離自在に設けられた押圧手段とを有し、両面印刷時にはマスタの長さ方向に第１製版画像と第２製版画像とを有する分割製版済みマスタを前記版胴に巻装し、片面印刷時には片面印刷用の第３製版画像が形成された製版済みマスタを前記版胴に巻装して、表面印刷工程を行った後に裏面印刷工程を行う両面印刷と片面印刷とを切り換えて行うことが可能な孔版印刷装置において、
両面印刷が選択されて前記版胴に分割製版済みマスタが巻装された後、片面印刷に切り換えられて印刷実行指令がなされた場合には、印刷に使用される用紙のサイズを確認し、確認された前記サイズが前記分割製版済みマスタの一方の製版画像のサイズと同じ場合には、一方の製版画像にのみ前記用紙を押圧する片面印刷動作を開始することを特徴とする孔版印刷装置。
【請求項２】
版胴と前記版胴に対して接離自在に設けられた押圧手段とを有し、両面印刷時にはマスタの長さ方向に第１製版画像と第２製版画像とを有する分割製版済みマスタを前記版胴に巻装し、片面印刷時には片面印刷用の第３製版画像が形成された製版済みマスタを前記版胴に巻装して、表面印刷工程を行った後に裏面印刷工程を行う両面印刷と片面印刷とを切り換えて行うことが可能な孔版印刷装置において、
両面印刷が選択されて前記版胴に分割製版済みマスタが巻装された後、片面印刷に切り換えられて印刷実行指令がなされた場合には、印刷に使用される用紙のサイズを確認し、確認された前記サイズが前記分割製版済みマスタの一方の製版画像のサイズよりも大きい場合には、一方の製版画像にのみ前記用紙を押圧する片面印刷動作を開始することを特徴とする孔版印刷装置。
【請求項３】
版胴と前記版胴に対して接離自在に設けられた押圧手段とを有し、両面印刷時にはマスタの長さ方向に第１製版画像と第２製版画像とを有する分割製版済みマスタを前記版胴に巻装し、片面印刷時には片面印刷用の第３製版画像が形成された製版済みマスタを前記版胴に巻装して、表面印刷工程を行った後に裏面印刷工程を行う両面印刷と片面印刷とを切り換えて行うことが可能な孔版印刷装置において、
両面印刷が選択されて前記版胴に分割製版済みマスタが巻装された後、片面印刷に切り換えられて印刷実行指令がなされた場合には、印刷に使用される用紙のサイズを確認し、確認された前記サイズが前記分割製版済みマスタの各製版画像の合計サイズと同じ場合には、各製版画像にわたって前記用紙を押圧する片面印刷動作を開始することを特徴とする孔版印刷装置。
【請求項４】
請求項１ないし請求項３のうちの何れか１つに記載の孔版印刷装置において、
片面印刷動作に先立って警告を行い、前記警告を承認解除することにより片面印刷動作が開始されることを特徴とする孔版印刷装置。
【発明の詳細な説明】
【技術分野】
【０００１】
本発明は孔版印刷装置に関し、詳しくは製版済みマスタを用いる片面印刷と分割製版済みマスタを用いる１工程両面印刷とを切り換えて行うことが可能な孔版印刷装置に関する。
【背景技術】
【０００２】
従来、簡便な印刷方法としてデジタル式感熱孔版印刷が知られている。この孔版印刷に用いられる孔版印刷装置は、微細な発熱素子が一列に配置されたサーマルヘッドをマスタに接触させ、パルス的に発熱素子に通電させながらマスタを搬送することで画像情報に応じてマスタを加熱溶融穿孔し、このマスタを多孔性円筒状の版胴の外周面に巻装した後に用紙を介して版胴外周面をプレスローラ等の押圧手段によって押圧することで、マスタ穿孔部よりインキを透過させてこれを用紙に転移させることにより印刷画像を得るものである。
【０００３】
この孔版印刷において、近年では用紙の消費量及び書類の保管スペースを低減させるため等の目的から、用紙の両面に印刷を行う両面印刷が頻繁に行われるようになってきている。この両面印刷は、従来の方法では給紙部に積載した用紙を印刷部に通紙し、一方の面に印刷をした後に用紙を裏返して再度印刷部に通紙して他方の面に印刷をすることで両面印刷物を得ていたが、一度排紙された用紙を再度給紙部にセットしたり片面印刷後の用紙を揃えたりする作業が面倒であるという問題点があった。また、印刷部への通紙を２回行うために正味の印刷時間においても片面印刷に比して２倍の時間を要し、時間がかかりすぎるという問題点もあった。
【０００４】
上述の問題点を解決するため、版胴の回転方向に第１製版画像と第２製版画像とが２面並んだ分割製版済みマスタを用い、給紙部より１枚目の用紙を給送してこの表面に何れか一方の製版画像を印刷した後にこの用紙を補助トレイに案内し、給紙部より２枚目の用紙を給送してこの表面に何れか一方の製版画像を印刷した後にこの用紙を補助トレイに案内すると共に、補助トレイより１枚目の用紙を再給紙してこの裏面に何れか他方の製版画像を印刷してこの用紙を排紙トレイに排出し、この動作を連続して行うことにより１工程で両面印刷物を得る両面印刷装置が、例えば「特許文献１」に開示されている。
【０００５】
【特許文献１】特開２００３−２００６４５号公報
【発明の開示】
【発明が解決しようとする課題】
【０００６】
しかし、上記公報に開示された技術では、用紙の一方の面に印刷を行った後に用紙の他方の面に印刷を行っているため、用紙の他方の面に印刷を行う際に用紙の一方の面に付着しているインキが押圧手段の表面に転移し、次の用紙の一方の面に印刷を行う際にこの用紙の他方の面に先の用紙から転移したインキが付着して裏汚れが発生してしまうという問題点がある。
【０００７】
そこで、この裏汚れの発生を低減させるため、押圧手段としてその表面に微細な凹凸を有するものを用い、押圧手段表面に対して転移インキを付着しにくくさせる技術が提案されている。しかし、製版後に用紙サイズが小さい方向に変更された場合、あるいは両面印刷用の製版が行われた後にこの分割製版済みマスタの製版領域よりも小さい用紙で片面印刷が行われた場合、あるいは製版後に版胴が交換され、新たな版胴に巻装されている製版済みマスタあるいは分割製版済みマスタの製版領域が使用される用紙よりも大きい場合等には、用紙が存在しない状態で押圧手段が版胴外周面上の製版済みマスタに直接当接してしまう。このような場合には、版胴内部から供給されたインキが直接押圧手段の表面に転移され、押圧手段表面の突起の谷部に入り込んだインキの除去が非常に困難になってしまうという問題点がある。
【０００８】
本発明は上述の問題点を解決し、押圧手段が版胴の外周面あるいは外周面上に巻装されたマスタを直接押圧することにより汚損してしまう不具合の発生を防止しつつ、良好な印刷物を得ることが可能な分割製版済みマスタを用いる１工程両面印刷装置の提供を目的とする。
【課題を解決するための手段】
【０００９】
請求項１記載の発明は、版胴と前記版胴に対して接離自在に設けられた押圧手段とを有し、両面印刷時にはマスタの長さ方向に第１製版画像と第２製版画像とを有する分割製版済みマスタを前記版胴に巻装し、片面印刷時には片面印刷用の第３製版画像が形成された製版済みマスタを前記版胴に巻装して、表面印刷工程を行った後に裏面印刷工程を行う両面印刷と片面印刷とを切り換えて行うことが可能な孔版印刷装置において、両面印刷が選択されて前記版胴に分割製版済みマスタが巻装された後、片面印刷に切り換えられて印刷実行指令がなされた場合には、印刷に使用される用紙のサイズを確認し、確認された前記サイズが前記分割製版済みマスタの一方の製版画像のサイズと同じ場合には、一方の製版画像にのみ前記用紙を押圧する片面印刷動作を開始することを特徴とする。
【００１０】
請求項２記載の発明は、版胴と前記版胴に対して接離自在に設けられた押圧手段とを有し、両面印刷時にはマスタの長さ方向に第１製版画像と第２製版画像とを有する分割製版済みマスタを前記版胴に巻装し、片面印刷時には片面印刷用の第３製版画像が形成された製版済みマスタを前記版胴に巻装して、表面印刷工程を行った後に裏面印刷工程を行う両面印刷と片面印刷とを切り換えて行うことが可能な孔版印刷装置において、両面印刷が選択されて前記版胴に分割製版済みマスタが巻装された後、片面印刷に切り換えられて印刷実行指令がなされた場合には、印刷に使用される用紙のサイズを確認し、確認された前記サイズが前記分割製版済みマスタの一方の製版画像のサイズよりも大きい場合には、一方の製版画像にのみ前記用紙を押圧する片面印刷動作を開始することを特徴とする。
【００１１】
請求項３記載の発明は、版胴と前記版胴に対して接離自在に設けられた押圧手段とを有し、両面印刷時にはマスタの長さ方向に第１製版画像と第２製版画像とを有する分割製版済みマスタを前記版胴に巻装し、片面印刷時には片面印刷用の第３製版画像が形成された製版済みマスタを前記版胴に巻装して、表面印刷工程を行った後に裏面印刷工程を行う両面印刷と片面印刷とを切り換えて行うことが可能な孔版印刷装置において、両面印刷が選択されて前記版胴に分割製版済みマスタが巻装された後、片面印刷に切り換えられて印刷実行指令がなされた場合には、印刷に使用される用紙のサイズを確認し、確認された前記サイズが前記分割製版済みマスタの各製版画像の合計サイズと同じ場合には、各製版画像にわたって前記用紙を押圧する片面印刷動作を開始することを特徴とする。
【００１２】
請求項４記載の発明は、請求項１ないし請求項３のうちの何れか１つに記載の孔版印刷装置において、さらに片面印刷動作に先立って警告を行い、前記警告を承認解除することにより片面印刷動作が開始されることを特徴とする。
【発明の効果】
【００１９】
本発明によれば、印刷に使用される用紙として分割製版済みマスタが有する各製版画像の合計の製版画像サイズよりも小さいサイズのものが使用された場合に、用紙で覆われていない分割製版済みマスタの穿孔部分を押圧手段で直接押圧することにより押圧手段表面がインキで汚損してしまう不具合の発生を防止することができる。
【発明を実施するための最良の形態】
【００２０】
図１は、本発明の一実施形態を採用した孔版印刷装置を示している。この孔版印刷装置は、特開２００３−２００６４５号に開示された両面印刷装置とほぼ同様の構成であるので、各部位の説明をできるだけ簡略化する。
【００２１】
図１において孔版印刷装置１は、印刷部２、製版部３、給紙部４、排版部５、排紙部６、画像読取部７、補助トレイ８、再給紙手段９、切換部材１０等を有している。
【００２２】
装置本体４３のほぼ中央に配置された印刷部２は、版胴１１と押圧手段としてのプレスローラ１２とを有している。版胴１１は装置本体４３に着脱自在かつ回転自在に支持されており、図示しない版胴駆動手段によって回転駆動される。版胴１１はその外周面に開閉自在なクランパ１３を有しており、版胴１１の外周面には、両面印刷時には製版部３で製版された分割製版済みマスタ１４が、片面印刷時には製版部３で製版された製版済みマスタ１５がそれぞれ巻装される。版胴１１の外周面近傍には、版胴１１の位置を検知する図示しないロータリエンコーダが設けられている。本実施形態において、版胴１１には最大でＡ３サイズの用紙に印刷が可能な製版済みマスタ１５が巻装される。
【００２３】
図２に示すように、分割製版済みマスタ１４には表面画像に応じた第１製版画像１４Ａと裏面画像に応じた第２製版画像１４Ｂとが形成され、各製版画像１４Ａ，１４Ｂ間には未製版部分Ｓが形成される。分割製版済みマスタ１４は、版胴１１上において、第１製版画像１４Ａが図１に示す表面領域に、第２製版画像１４Ｂが同裏面領域に、未製版部分Ｓが同中間領域にそれぞれ対応するように巻装される。本実施形態では、第１製版画像１４Ａ及び第２製版画像１４Ｂとして、最大でＡ４横（用紙の短手方向を用紙搬送方向とする）サイズの用紙に印刷が可能なものがそれぞれ作成される。
【００２４】
図３に示すように、製版済みマスタ１５には片面印刷画像に応じた第３製版画像１５Ａが形成される。製版済みマスタ１５は、版胴１１上において、第３製版画像１５Ａが図１に示す表面領域と裏面領域と中間領域とを合わせた範囲内に対応するように巻装される。本実施形態では、第３製版画像１５Ａとして、最大でＡ３サイズの用紙に印刷可能なものが作成される。
【００２５】
また本発明では、孔版印刷装置１が後述するマスタカットモードを有しており、このマスタカットモード選択時には、図４に示すように、第３製版画像１５Ｂの大きさが上述の表面領域と対応する大きさに制限され、長さが通常時のおよそ半分の長さであるカットモード製版済みマスタ１５Ｘが作成される。本実施形態では、第３製版画像１５Ｂとして、最大でＡ４横サイズの用紙に印刷が可能なものが作成される。
【００２６】
版胴１１の下方にはプレスローラ１２が配設されている。フッ素樹脂等の撥水性を有する弾性体からなるプレスローラ１２は図示しないアーム部材にその両端を回転自在に支持されており、図示しないアーム部材は図示しない揺動手段によって揺動自在に支持されている。プレスローラ１２はその周面が版胴１１より離間する図１に示す離間位置と、その周面が版胴１１上の分割製版済みマスタ１４に圧接する圧接位置とを選択的に占める。
【００２７】
図示しない揺動手段は、プレスローラ１２の版胴１１に対する押圧範囲を、図１に示す表面領域と中間領域と裏面領域とを全て合わせた第１の範囲、表面領域と同じ範囲である第２の範囲、表面領域の下流側部分と中間領域と裏面領域とを合わせた第３の範囲の何れかに切換可能に構成されている。プレスローラ１２の周面近傍には、プレスローラ１２の周面に接触してクリーニングを行うクリーニングローラ１６が配設されている。クリーニングローラ１６は、図示しない駆動手段によって回転駆動される。
【００２８】
プレスローラ１２の右方近傍には再給紙手段９から送られた表面印刷済みの用紙Ｐをプレスローラ１２の周面に沿わせて搬送するための再給紙案内部材１７が配設されており、プレスローラ１２の下方には補助トレイ８上に貯留された用紙Ｐをプレスローラ１２の周面に接触させて送り出す再給紙レジストローラ１８が配設されている。プレスローラ１２の左下方には上面に補助トレイ８を有する再給紙搬送ユニット１９が配設されており、これには再給紙位置決め部材２０が一体的に設けられている。再給紙搬送ユニット１９の上方には、補助トレイ８の上面に沿って移動自在な用紙受け板２１が配設されている。これら補助トレイ８、再給紙案内部材１７、再給紙レジストローラ１８、再給紙位置決め部材２０、再給紙搬送ユニット１９及び用紙受け板２１によって再給紙手段９が構成されている。
【００２９】
版胴１１とプレスローラ１２との接触位置の左方であって用紙Ｐの搬送経路上には、切換部材１０が配設されている。切換部材１０はその用紙搬送方向下流側端部を装置本体４３に回動自在に支持されており、図示しない移動手段によって移動され、図１に実線で示す第１の位置と二点鎖線で示す第２の位置とを選択的に占める。版胴１１とプレスローラ１２との間を通過した用紙Ｐは、切換部材１０が第１の位置を占めているときに排紙部６へと案内され、切換部材１０が第２の位置を占めているときに補助トレイ８へと案内される。
【００３０】
印刷部２の右上方には製版部３が配設されている。製版部３は、マスタ２２をロール状に巻成したマスタロールを保持するマスタ保持部材２３、プラテンローラ２４、サーマルヘッド２５、マスタ切断手段２６、マスタストック部２７、テンションローラ対２８、反転ローラ対２９等を有する周知の構成であり、製版部３では両面印刷時において分割製版済みマスタ１４が、片面印刷時において製版済みマスタ１５が、マスタカットモード時においてカットモード製版済みマスタ１５Ｘがそれぞれ作成される。
【００３１】
製版部３の下方には給紙部４が配設されている。給紙部４は、用紙Ｐを積載する給紙トレイ４１、給紙ローラ、分離ローラ、分離パッド、レジストローラ対等を有する周知の構成である。給紙トレイ４１には、その上面に積載された用紙Ｐのサイズを検出する複数の用紙サイズ検出センサ４２が配設されている。
【００３２】
印刷部２の左上方に配設された排版部５も、上排版部材、下排版部材、排版ボックス、圧縮板等を有する周知の構成であり、使用済みの分割製版済みマスタ１４、製版済みマスタ１５、カットモード製版済みマスタ１５Ｘを版胴１１の外周面より剥離して排版ボックスの内部に廃棄する。
【００３３】
排版部５の下方には排紙部６が配設されている。排紙部６は、剥離爪、排紙搬送ユニット、排紙トレイ、剥離ファン等を有する周知の構成であり、版胴１１の外周面上より用紙Ｐを剥離して排紙トレイ上に排出する。
【００３４】
装置本体４３の上部には画像読取部７が配設されている。画像読取部７は、それぞれ図示してはいないが、原稿を載置するコンタクトガラス、コンタクトガラスに対して接離自在に設けられた圧板、原稿画像を走査して読み取る反射ミラー及び蛍光灯、走査された画像を集束するレンズ、集束された画像を処理する画像センサ等を有している。
【００３５】
図５は、孔版印刷装置１の操作パネルを示している。同図において操作パネル３０には、製版スタートキー３１、印刷スタートキー３２、ストップキー３３、テンキー３４、７セグメントＬＥＤからなる表示装置３５、ＬＣＤからなる表示装置３６等の周知の構成の他、両面印刷を行う際に押下される両面印刷キー３７、片面印刷を行う際に押下される片面印刷キー３８、片面印刷時においてマスタカットモードを設定する際に押下されるマスタカットモード設定キー３９が配設されている。
【００３６】
図６は、孔版印刷装置１に用いられる制御手段のブロック図である。同図において制御手段４０は、内部にＣＰＵ、ＲＯＭ、ＲＡＭ等を有するマイクロコンピュータであり、図示しないロータリエンコーダ及び操作パネル３０からの動作信号に基づいて印刷部２、製版部３、給紙部４、排版部５、排紙部６、画像読取部７、再給紙手段９、切換部材１０の作動をそれぞれ制御する。制御手段４０は、分割製版済みマスタ１４に形成された各製版画像１４Ａ，１４Ｂのサイズを記憶する機能を有している。
【００３７】
上述の構成に基づき、以下に両面印刷キー３７を押下して両面印刷を行う場合における孔版印刷装置１の動作を説明する。  
画像読取部７に原稿がセットされ、オペレータにより両面印刷キー３７が押下されると、両面印刷が設定されたことが制御手段４０に記憶され両面印刷用の動作プログラムが呼び出される。その後、オペレータにより製版スタートキー３１が押下されると、画像読取部７において原稿画像の読取動作が行われると共に排版部５が作動して版胴１１の外周面から使用済みの分割製版済みマスタ１４あるいは製版済みマスタ１５が剥離される。排版後、製版部３が作動することによりマスタ２２に第１製版画像１４Ａ及び第２製版画像１４Ｂが形成されて新たな分割製版済みマスタ１４が製版され、これが版胴１１に巻装される。
【００３８】
巻装動作が完了して孔版印刷装置１が両面印刷待機状態となった後、各種印刷条件設定後にオペレータによって印刷スタートキー３２が押下されると、版胴１１が設定速度で回転駆動されると共に給紙部４より用紙Ｐが１枚分離給送される。給送された用紙Ｐはレジストローラ対で一時停止された後、所定のタイミングで版胴１１とプレスローラ１２との間に向けて送られる。なお、各種印刷条件の設定は、製版スタートキー３１の押下前に行ってもよい。
【００３９】
版胴１１が所定の角度まで回転してその表面領域がプレスローラ１２と対応する所定位置を占めると、プレスローラ１２が圧接位置を占めることにより用紙Ｐが版胴１１上の分割製版済みマスタ１４の第１製版画像１４Ａに圧接され、その一方の面に表面画像を転写される。このときプレスローラ１２を揺動させる図示しない揺動手段は、プレスローラ１２の版胴１１に対する押圧範囲を第２の範囲に設定している。
【００４０】
表面印刷済み用紙となった用紙Ｐは、第２の位置を占めている切換部材１０の先端によって版胴１１の外周面より剥離され、再給紙搬送ユニット１９へと送られる。このとき、用紙Ｐはその先端を用紙受け板２１によって受け止められ、後端側から補助トレイ８上に載置される。補助トレイ８上の用紙Ｐは再給紙搬送ユニット１９によって図１の矢印方向に搬送され、その先端を再給紙位置決め部材２０に当接させた状態で一時停止される。
【００４１】
１枚目の用紙Ｐが補助トレイ８上に案内されている間も版胴１１は回転を継続しており、給紙部４からは１枚目の用紙Ｐと同じタイミングで２枚目の用紙Ｐが給送される。このとき図示しない揺動手段は、プレスローラ１２の版胴１１に対する押圧範囲を第１の範囲に設定している。給送された２枚目の用紙Ｐは１枚目の用紙Ｐと同様にプレスローラ１２によってその一方の面に表面画像を転写された後、第２の位置を占めている切換部材１０によって再給紙搬送ユニット１９へと送られる。
【００４２】
給紙部４から２枚目の用紙Ｐが給送された後、版胴１１の裏面領域がプレスローラ１２と対応する位置に到達するよりもやや早いタイミングで、再給紙レジストローラ１８が作動して補助トレイ８上に貯留されている１枚目の用紙Ｐがプレスローラ１２の周面に圧接される。プレスローラ１２の周面に圧接された１枚目の用紙Ｐは、版胴１１に圧接して従動回転しているプレスローラ１２の回転力によって版胴１１との当接部に向けて搬送され、分割製版済みマスタ１４の第２製版画像１４Ｂに圧接されることによりその他方の面に裏面画像を転写される。
【００４３】
裏面画像を転写されて両面印刷済み用紙となった１枚目の用紙Ｐは第１の位置を占めた切換部材１０によって排紙部６へと案内され、剥離ファンからの送風によってその先端部を浮き上げられた後、剥離爪の先端によって版胴１１の外周面より剥離される。剥離された印刷済みの用紙Ｐは排紙搬送ユニットへと送られた後、搬送されて排紙トレイ上に排出積載される。以下、上述の動作が設定された印刷枚数を消化するまで繰り返され、最終の用紙Ｐが補助トレイ８上に案内された後に図示しない揺動手段がプレスローラ１２の版胴１１に対する押圧範囲を第３の範囲に設定し、設定された枚数の両面印刷動作が完了すると各部位の作動が停止する。
【００４４】
次に、片面印刷キー３８を押下して通常の片面印刷を行う場合における孔版印刷装置１の動作を説明する。  
画像読取部７に原稿がセットされ、オペレータにより片面印刷キー３８が押下されると、片面印刷が設定されたことが制御手段４０に記憶され片面印刷用の動作プログラムが呼び出される。その後、オペレータにより製版スタートキー３１が押下されると、画像読取部７において原稿画像の読取動作が行われると共に排版部５が作動して版胴１１の外周面から使用済みの分割製版済みマスタ１４あるいは製版済みマスタ１５が剥離される。排版後、製版部３が作動することによりマスタ２２に第３製版画像１５Ａが形成されて新たな製版済みマスタ１５が製版され、これが版胴１１に巻装される。
【００４５】
巻装動作が完了して孔版印刷装置１が片面印刷待機状態となった後、各種印刷条件設定後にオペレータによって印刷スタートキー３２が押下されると、版胴１１が設定速度で回転駆動されると共に給紙部４より用紙Ｐが１枚分離給送される。給送された用紙Ｐはレジストローラ対で一時停止された後、所定のタイミングで版胴１１とプレスローラ１２との間に向けて送られる。
【００４６】
版胴１１が所定の角度まで回転してその表面領域がプレスローラ１２と対応する位置を占めると、プレスローラ１２が圧接位置を占めることにより用紙Ｐが版胴１１上の製版済みマスタ１５の第３製版画像１５Ａに圧接され、画像を転写される。このときプレスローラ１２を揺動させる図示しない揺動手段は、プレスローラ１２の版胴１１に対する押圧範囲を第１の範囲に設定している。
【００４７】
画像を転写されて印刷済み用紙となった用紙Ｐは第１の位置を占めた切換部材１０によって排紙部６へと案内され、剥離ファンからの送風によってその先端部を浮き上げられた後、剥離爪の先端によって版胴１１の外周面より剥離される。剥離された印刷済みの用紙Ｐは排紙搬送ユニットへと送られた後、搬送されて排紙トレイ上に排出積載される。以下、上述の動作が設定された印刷枚数を消化するまで繰り返され、設定された枚数の片面印刷動作が完了すると各部位の作動が停止する。
【００４８】
次に、マスタカットモードでの片面印刷を行う場合における孔版印刷装置１の動作を説明する。  
画像読取部７に原稿がセットされ、オペレータにより片面印刷キー３８が押下されると、片面印刷が設定されたことが制御手段４０に記憶され片面印刷用の動作プログラムが呼び出される。その後、マスタカットモード設定キー３９が押下されると、動作プログラムがマスタカットモード用の動作プログラムに変更される。
【００４９】
オペレータにより製版スタートキー３１が押下されると、画像読取部７において読取動作が行われると共に排版部５において排版動作が行われる。排版後、製版動作が行われるが、原稿サイズ及び使用される用紙Ｐのサイズがマスタカットモードでの最大サイズ以内に適合していれば、マスタカットモードでの製版動作が行われる。適合していない場合には、ＬＣＤ表示装置３６にその旨が表示されて孔版印刷装置１は一時停止する。
【００５０】
マスタカットモードでの製版動作ではカットモード製版済みマスタ１５Ｘが作成され、作成されたカットモード製版済みマスタ１５Ｘは版胴１１に巻装される。巻装動作が完了して孔版印刷装置１が片面印刷待機状態となった後、各種印刷条件設定後にオペレータによって印刷スタートキー３２が押下されると、版胴１１が設定速度で回転駆動されると共に給紙部４より用紙Ｐが１枚分離給送される。給送された用紙Ｐはレジストローラ対で一時停止された後、所定のタイミングで版胴１１とプレスローラ１２との間に向けて送られる。
【００５１】
版胴１１が所定の角度まで回転してその表面領域がプレスローラ１２と対応する位置を占めると、プレスローラ１２が圧接位置を占めることにより用紙Ｐが版胴１１上のカットモード製版済みマスタ１５Ｘの第３製版画像１５Ｂに圧接され、画像を転写される。このときプレスローラ１２を揺動させる図示しない揺動手段は、プレスローラ１２の版胴１１に対する押圧範囲を第２の範囲に設定している。
【００５２】
画像を転写されて印刷済み用紙となった用紙Ｐは第１の位置を占めた切換部材１０によって排紙部６へと案内され、剥離ファンからの送風によってその先端部を浮き上げられた後、剥離爪の先端によって版胴１１の外周面より剥離される。剥離された印刷済みの用紙Ｐは排紙搬送ユニットへと送られた後、搬送されて排紙トレイ上に排出積載される。以下、上述の動作が設定された印刷枚数を消化するまで繰り返され、設定された枚数の片面印刷動作が完了すると各部位の作動が停止する。
【００５３】
上述した孔版印刷装置１における第１の実施形態として、両面印刷キー３７の押下後に製版スタートキー３１が押下され、版胴１１の外周面上に分割製版済みマスタ１４が巻装されて孔版印刷装置１が両面印刷待機状態となった後、直後に印刷スタートキー３２が押下されずに片面印刷キー３８が押下された後に印刷スタートキー３２が押下された場合には、制御手段４０は、表示装置３６に例えば「両面印刷用のマスタが巻装されています。両面印刷を選択するか再度製版動作を行ってください。」というような警告を行い、片面印刷動作の開始を禁止する。
【００５４】
これにより、例えば印刷に使用される用紙ＰとしてＡ４縦（用紙の長手方向を用紙搬送方向とする）サイズあるいはＢ５サイズ等の、分割製版済みマスタ１４が有する各製版画像１４Ａ，１４Ｂの合計の製版画像サイズ（例えばＡ３サイズ）よりも小さいサイズのものが使用された場合に、用紙Ｐで覆われていない分割製版済みマスタ１４の穿孔部分をプレスローラ１２で直接押圧することによりプレスローラ表面がインキで汚損してしまう不具合の発生を防止することができる。この警告は、再び両面印刷キー３７を押下して両面印刷を選択するか、片面印刷のまま製版スタートキー３１を押下して再度排版及び製版を行うことにより解除される。
【００５５】
次に、上述した孔版印刷装置１における第２の実施形態として、両面印刷キー３７の押下後に製版スタートキー３１が押下され、版胴１１の外周面上に分割製版済みマスタ１４が巻装されて孔版印刷装置１が両面印刷待機状態となった後、直後に印刷スタートキー３２が押下されずに片面印刷キー３８が押下された後に印刷スタートキー３２が押下された場合には、制御手段４０は給紙トレイ４１上に積載されている用紙Ｐのサイズを用紙サイズ検出センサ４２からの信号に基づいて検出する。そして、記憶されている各製版画像１４Ａ，１４Ｂのサイズを呼び出し、各製版画像１４Ａ，１４Ｂのうちの小さい方のサイズと用紙Ｐのサイズとを比較して用紙Ｐのサイズの方が小さい場合には、制御手段４０は表示装置３６に例えば「用紙サイズが適合していません。用紙を交換してください。」というような警告を行い、片面印刷動作の開始を禁止する。
【００５６】
これにより、例えば印刷に使用される用紙ＰとしてＢ５サイズ等の、分割製版済みマスタ１４が有する各製版画像１４Ａ，１４Ｂのうちのサイズが小さい方（例えばＡ４サイズ）よりも小さいサイズのものが使用された場合に、用紙Ｐで覆われていない分割製版済みマスタ１４の穿孔部分をプレスローラ１２で直接押圧することによりプレスローラ表面がインキで汚損してしまう不具合の発生を防止することができる。この警告は、用紙を交換した後に再び両面印刷キー３７を押下して両面印刷を選択するか、片面印刷のまま製版スタートキー３１を押下して排版を行った後、用紙サイズに適合した製版を行うことにより解除される。
【００５７】
次に、上述した孔版印刷装置１における第３の実施形態として、両面印刷キー３７の押下後に製版スタートキー３１が押下され、版胴１１の外周面上に分割製版済みマスタ１４が巻装されて孔版印刷装置１が両面印刷待機状態となった後、直後に印刷スタートキー３２が押下されずに片面印刷キー３８が押下された後に印刷スタートキー３２が押下された場合には、制御手段４０は給紙トレイ４１上に積載されている用紙Ｐのサイズを用紙サイズ検出センサ４２からの信号に基づいて検出する。そして、記憶されている各製版画像１４Ａ，１４Ｂのサイズを呼び出し、各製版画像１４Ａ，１４Ｂのサイズと用紙Ｐのサイズとを比較して何れか一方の製版画像サイズと用紙Ｐのサイズとが同じである場合には、制御手段４０は表示装置３６に例えば「表面画像のみ片面印刷を行います。」（第１製版画像１４Ａと用紙Ｐとが同じサイズであった場合）というような警告を行う。
【００５８】
オペレータは、この警告を例えば印刷スタートキー３２を押下することにより承認解除し、印刷スタートキー３２が押下されることにより片面印刷が行われる。このとき、このときプレスローラ１２を揺動させる図示しない揺動手段はプレスローラ１２の版胴１１に対する押圧範囲を第２の範囲に設定する。これにより、印刷に使用される用紙Ｐと分割製版済みマスタ１４が有する各製版画像１４Ａ，１４Ｂのうちの一方の製版画像とが同じサイズである場合に、再度製版動作を行うことなく片面印刷を行うことができ、作業効率の向上及び無駄なマスタ使用の防止といった作用効果を得ることができる。
【００５９】
第３の実施形態において、第２製版画像１４Ｂと用紙Ｐとが同じサイズであった場合には、制御手段４０は表示装置３６に例えば「裏面画像のみ片面印刷を行います。」というような警告を行う。この場合、承認解除後の片面印刷動作では、プレスローラ１２を揺動させる図示しない揺動手段はプレスローラ１２の版胴１１に対する押圧範囲を第３の範囲に設定する。また、各製版画像１４Ａ，１４Ｂと用紙Ｐとが同じサイズであった場合には、制御手段４０は表示装置３６に例えば「表面画像または裏面画像何れかの片面印刷を行います。どちらかを選択してください。」というような警告を行う。この場合、オペレータにより何れか一方の画像が選択された後に印刷スタートキー３２が押下されることで承認解除が行われ、選択した画像に対する片面印刷動作が行われる。
【００６０】
次に、上述した孔版印刷装置１における第４の実施形態として、両面印刷キー３７の押下後に製版スタートキー３１が押下され、版胴１１の外周面上に分割製版済みマスタ１４が巻装されて孔版印刷装置１が両面印刷待機状態となった後、直後に印刷スタートキー３２が押下されずに片面印刷キー３８が押下された後に印刷スタートキー３２が押下された場合には、制御手段４０は給紙トレイ４１上に積載されている用紙Ｐのサイズを用紙サイズ検出センサ４２からの信号に基づいて検出する。そして、記憶されている各製版画像１４Ａ，１４Ｂのサイズを呼び出し、各製版画像１４Ａ，１４Ｂのサイズと用紙Ｐのサイズとを比較して何れか一方の製版画像サイズよりも用紙Ｐのサイズの方が大きい場合には、制御手段４０は表示装置３６に例えば「表面画像のみ片面印刷を行います。」（第１製版画像１４Ａよりも用紙Ｐのサイズが大きい場合）というような警告を行う。
【００６１】
オペレータは、この警告を例えば印刷スタートキー３２を押下することにより承認解除し、印刷スタートキー３２が押下されることにより片面印刷が行われる。このとき、このときプレスローラ１２を揺動させる図示しない揺動手段はプレスローラ１２の版胴１１に対する押圧範囲を第２の範囲に設定する。これにより、印刷に使用される用紙Ｐのサイズが分割製版済みマスタ１４が有する各製版画像１４Ａ，１４Ｂのうちの一方の製版画像よりも大きい場合に、再度製版動作を行うことなく片面印刷を行うことができ、作業効率の向上及び無駄なマスタ使用の防止といった作用効果を得ることができる。
【００６２】
第４の実施形態において、第２製版画像１４Ｂよりも用紙Ｐのサイズが大きい場合には、制御手段４０は表示装置３６に例えば「裏面画像のみ片面印刷を行います。」というような警告を行う。この場合、承認解除後の片面印刷動作では、プレスローラ１２を揺動させる図示しない揺動手段はプレスローラ１２の版胴１１に対する押圧範囲を第３の範囲に設定する。また、各製版画像１４Ａ，１４Ｂよりも用紙Ｐのサイズが大きい場合には、制御手段４０は表示装置３６に例えば「表面画像または裏面画像何れかの片面印刷を行います。どちらかを選択してください。」というような警告を行う。この場合、オペレータにより何れか一方の画像が選択された後に印刷スタートキー３２が押下されることで承認解除が行われ、選択した画像に対する片面印刷動作が行われる。
【００６３】
次に、上述した孔版印刷装置１における第５の実施形態として、両面印刷キー３７の押下後に製版スタートキー３１が押下され、版胴１１の外周面上に分割製版済みマスタ１４が巻装されて孔版印刷装置１が両面印刷待機状態となった後、直後に印刷スタートキー３２が押下されずに片面印刷キー３８が押下された後に印刷スタートキー３２が押下された場合には、制御手段４０は給紙トレイ４１上に積載されている用紙Ｐのサイズを用紙サイズ検出センサ４２からの信号に基づいて検出する。そして、記憶されている各製版画像１４Ａ，１４Ｂのサイズを呼び出し、各製版画像１４Ａ，１４Ｂの合計サイズと用紙Ｐのサイズとを比較して両者が同じである場合には、制御手段４０は表示装置３６に例えば「表面画像及び裏面画像の２面分の片面印刷を行います。」というような警告を行う。
【００６４】
オペレータは、この警告を例えば印刷スタートキー３２を押下することにより承認解除し、印刷スタートキー３２が押下されることにより片面印刷が行われる。このとき、このときプレスローラ１２を揺動させる図示しない揺動手段はプレスローラ１２の版胴１１に対する押圧範囲を第１の範囲に設定する。これにより、印刷に使用される用紙Ｐのサイズが分割製版済みマスタ１４が有する各製版画像１４Ａ，１４Ｂの合計サイズと同じである場合に、再度製版動作を行うことなく片面印刷を行うことができる。この場合、両面印刷物としては使用できないが、中央より２分することで２枚の片面印刷物として使用でき、また、中央より折ることによって袋とじの片面印刷物として使用できる。第５の実施形態において、各製版画像１４Ａ，１４Ｂの合計サイズと用紙Ｐのサイズとが異なる場合には、上述した第２または第３または第４の実施形態と同様となる。
【００６５】
次に、上述した孔版印刷装置１における第６の実施形態として、両面印刷キー３７あるいは片面印刷キー３８の押下後に製版スタートキー３１が押下され、版胴１１の外周面上に分割製版済みマスタ１４あるいは製版済みマスタ１５が巻装されて孔版印刷装置１が両面印刷待機状態あるいは片面印刷待機状態となった後にこの版胴１１が装置本体４３より取り外され、他の版胴１１が装置本体４３に装着された後に印刷スタートキー３２が押下された場合には、制御手段４０は、表示装置３６に例えば「版胴が交換されました。再度製版動作を行ってください。」というような警告を行い、両面印刷動作及び片面印刷動作の開始を禁止する。
【００６６】
これにより、交換された版胴１１に巻装されている分割製版済みマスタ１４あるいは製版済みマスタ１５の製版画像サイズよりも小さいサイズの用紙Ｐが使用された場合に、用紙Ｐで覆われていない分割製版済みマスタ１４あるいは製版済みマスタ１５の穿孔部分をプレスローラ１２で直接押圧することによりプレスローラ表面がインキで汚損してしまう不具合の発生を防止することができる。この警告は、この版胴１１を装着した状態で製版スタートキー３１を押下して再度排版及び製版を行うことにより解除される。なお、分割製版済みマスタ１４あるいは製版済みマスタ１５の製版画像サイズよりも大きな用紙Ｐ（本実施形態ではＡ３サイズ）を使用する片面印刷のみは許容する構成としてもよい。
【００６７】
第６の実施形態では、着脱される版胴１１が情報を記憶する記憶手段（例えばバックアップ付きメモリ）を有していない場合について説明したが、着脱される版胴１１が記憶手段を有している場合には、例えば製版条件及びこれと適合する用紙サイズを記憶手段に記憶させ、版胴１１が装置本体４３に装着された際に給紙トレイ４１上に積載されている用紙Ｐのサイズを確認し、記憶された条件と用紙Ｐのサイズとが適合した場合に両面印刷動作あるいは片面印刷動作を許容する構成としてもよい。
【００６８】
次に、上述した孔版印刷装置１における第７の実施形態として、両面印刷キー３７の押下後に製版スタートキー３１が押下され、版胴１１の外周面上に分割製版済みマスタ１４が巻装されて孔版印刷装置１が両面印刷待機状態となった後にこの版胴１１が装置本体４３より取り外された場合には、制御手段４０は、表示装置３６に例えば「版胴が交換されたため片面印刷に切り換えます。」というような警告を行い、自動的に両面印刷待機状態を解除して孔版印刷装置１を片面印刷待機状態とする。
【００６９】
これにより、交換された版胴１１に製版済みマスタ１５が巻装されている場合に、両面印刷における１枚目の用紙Ｐの後端と２枚目の用紙Ｐの先端との間の部分において用紙Ｐで覆われていない製版済みマスタ１５の穿孔部分をプレスローラ１２で直接押圧することによりプレスローラ表面がインキで汚損してしまう不具合の発生を防止することができる。この警告も第６の実施形態と同様に、この版胴１１を装着した状態で製版スタートキー３１を押下して再度排版及び製版を行うことにより解除される。なお、製版済みマスタ１５の製版画像サイズよりも大きな用紙Ｐ（本実施形態ではＡ３サイズ）を使用する片面印刷のみは許容する構成としてもよい。
【００７０】
第７の実施形態では、着脱される版胴１１が情報を記憶する記憶手段（例えばバックアップ付きメモリ）を有していない場合について説明したが、着脱される版胴１１が記憶手段を有している場合には、例えば製版条件及びこれと適合する用紙サイズを記憶手段に記憶させ、版胴１１が装置本体４３に装着された際に給紙トレイ４１上に積載されている用紙Ｐのサイズを確認し、記憶された条件と用紙Ｐのサイズとが適合した場合に両面印刷待機状態を継続する構成としてもよい。
【００７１】
次に、上述した孔版印刷装置１における第８の実施形態として、両面印刷キー３７の押下後に製版スタートキー３１が押下され、版胴１１の外周面上に分割製版済みマスタ１４が巻装されて孔版印刷装置１が両面印刷待機状態となった後、給紙トレイ４１上に積載されている用紙Ｐが他のサイズの用紙Ｐに変更された場合には、制御手段４０は、表示装置３６に例えば「用紙が交換されました。再度製版動作を行ってください。」というような警告を行い、両面印刷動作の開始を禁止する。
【００７２】
これにより、印刷に使用される用紙Ｐとして分割製版済みマスタ１４が有する各製版画像１４Ａ，１４Ｂの何れか一方の製版画像サイズよりも小さいサイズのものが使用された場合に、用紙Ｐで覆われていない分割製版済みマスタ１４の穿孔部分をプレスローラ１２で直接押圧することによりプレスローラ表面がインキで汚損してしまう不具合の発生を防止することができる。この警告は、再び製版スタートキー３１を押下して再度排版及び製版を行うことにより解除される。
【００７３】
次に、上述した孔版印刷装置１における第９の実施形態として、片面印刷キー３８の押下後、さらにマスタカットモード設定キー３９の押下後に製版スタートキー３１が押下され、版胴１１の外周面上にカットモード製版済みマスタ１５Ｘが巻装されて孔版印刷装置１が片面印刷待機状態となった後、直後に印刷スタートキー３２が押下されずに両面印刷キー３７が押下された後に印刷スタートキー３２が押下された場合には、制御手段４０は、表示装置３６に例えば「カットモード用のマスタが巻装されています。カットモード片面印刷を選択するか再度製版動作を行ってください。」というような警告を行い、両面印刷動作の開始を禁止する。
【００７４】
これにより、カットモード製版済みマスタ１５Ｘで覆われていない版胴１１の外周面をプレスローラ１２で直接押圧することによりプレスローラ表面がインキで汚損してしまう不具合の発生を防止することができる。この警告は、カットモード片面印刷を選択するか再び製版スタートキー３１を押下して再度排版及び製版を行うことにより解除される。
【図面の簡単な説明】
【００７５】
【図１】本発明の第１ないし第９の実施形態を適用可能な孔版印刷装置の概略正面図である。
【図２】本発明の第１ないし第９の実施形態に用いられる分割製版済みマスタを示す概略図である。
【図３】本発明の第１ないし第８の実施形態に用いられる製版済みマスタを示す概略図である。
【図４】本発明の第９の実施形態に用いられるカットモード製版済みマスタを示す概略図である。
【図５】本発明の第１ないし第９の実施形態に用いられる操作パネルの概略図である。
【図６】本発明の第１ないし第９の実施形態に用いられる制御手段のブロック図である。
【符号の説明】
【００７６】
１  孔版印刷装置
１１  版胴
１２  押圧手段（プレスローラ）
１４  分割製版済みマスタ
１４Ａ  第１製版画像
１４Ｂ  第２製版画像
１５  製版済みマスタ
１５Ａ，１５Ｂ  第３製版画像
１５Ｘ  カットモード製版済みマスタ
４３  装置本体
Ｐ  用紙
【図１】
0004608222.tif 000002
【図２】
0004608222.tif 000003
【図３】
0004608222.tif 000004
【図４】
0004608222.tif 000005
【図５】
0004608222.tif 000006
【図６】
0004608222.tif 000007